(57)【要約】【課題】  毛髪にカールを形成する際に有用なヘアアイロンを提供すること。【解決手段】  一対のアーム１２Ｌ，１２Ｕを備えるヘアアイロン１０を提供する。ヘアアイロン１０において、一対のアーム１２の少なくとも一方（例えば少なくとも下アーム１２Ｌ）は、略平板形状を有する加熱プレート２０であって、他方のアーム（例えば上アーム１２Ｕ）とともに毛髪を挟み込むための挟持面Ｐと、毛髪を屈曲させるための丸みを帯びた縁部Ｅとを有する加熱プレート２０を含む。そして、本ヘアアイロン１０は、縁部Ｅで毛髪を屈曲させる際に、加熱プレート２０が、毛髪を縁部Ｅの表面で加熱しながら、毛髪を加熱プレート２０の挟持面Ｐ反対側に少なくとも部分的に回り込ませて屈曲されられるよう構成されていることを特徴とする。【選択図】  図１
2020092916.tif 000002
【特許請求の範囲】
【請求項１】
一対のアームを備えるヘアアイロンであって、前記一対のアームの少なくとも一方は、
略平板形状を有する加熱プレートであって、他方のアームとともに毛髪を挟み込むための挟持面と、毛髪を屈曲させるための丸みを帯びた縁部とを有する加熱プレート
を含み、前記加熱プレートが、前記縁部で毛髪を屈曲させる際に、毛髪を前記縁部の表面で加熱しながら、毛髪を前記加熱プレートの前記挟持面反対側に少なくとも部分的に回り込ませて屈曲されられるよう構成されていることを特徴とする、ヘアアイロン。
【請求項２】
その間を毛髪が通るように前記加熱プレートの前記挟持面反対側の面に櫛状に設けられた複数のフィンであって、それぞれ、前記加熱プレートの短手方向へ、前記加熱プレートの前記挟持面反対側の面および前記加熱プレートの前記縁部の表面に沿って延びる当該複数のフィン
をさらに含む、請求項１に記載のヘアアイロン。
【請求項３】
前記一対のアームの前記少なくとも一方は、前記加熱プレートを前記挟持面反対側の面で支持するプレート支持部をさらに含み、前記加熱プレートの幅が、少なくとも一部で前記プレート支持部の幅よりも広くなっていることを特徴とする、請求項１または２に記載のヘアアイロン。
【請求項４】
前記挟持面が構成する第１の仮想平面と、前記加熱プレートの前記縁部および前記プレート支持部に接する第２の仮想平面とのなす角θが、１５度〜３５度の範囲である、請求項３に記載のヘアアイロン。
【請求項５】
前記加熱プレートは、２〜６ｍｍの厚みを有し、前記加熱プレートの前記縁部は、それぞれの長手方向の辺で半径１〜３ｍｍの丸みを有する、請求項１〜４のいずれか１項に記載のヘアアイロン。
【請求項６】
一対のアームを備えるヘアアイロンを用いたヘアスタイリング方法であって、前記一対のアームの少なくとも一方は、略平板形状を有する加熱プレートを含み、前記スタイリング方法は、
前記加熱プレートが有する挟持面を用いて毛髪を挟持する工程と、
前記加熱プレートが有する丸みを帯びた縁部で毛髪を屈曲させながら、前記縁部の表面で前記毛髪を加熱しつつ、前記ヘアアイロンを移動させて、毛髪にカールを形成する工程であって、毛髪が前記加熱プレートの前記挟持面反対側に少なくとも部分的に回り込ませられながら毛髪が屈曲される、当該工程と
を含む、ヘアスタイリング方法。
【請求項７】
請求項６に記載のスタイリング方法であって、前工程として、
毛髪に薬剤を塗布する工程と、
塗布された薬剤を洗浄する工程と、
毛髪を乾燥する工程と
を含む、ヘアスタイリング方法。
【発明の詳細な説明】
【技術分野】
【０００１】
本発明は、ヘアアイロンおよびヘアスタイリング方法に関し、より詳細には、毛髪の良好なカールを形成するために有用なヘアアイロンおよびヘアスタイリング方法に関する。
【背景技術】
【０００２】
従来、ヘアアイロンを用いた毛髪のカーリングが行われている。カーリングでは、一般に、カールアイロンが用いられるが、いわゆるストレート型のヘアアイロンを用いてカールを形成する方法も知られている。
【０００３】
図１０（Ａ）は、従来のストレート型のヘアアイロン５００を例示する。従来技術のヘアアイロン５００では、図１０（Ａ）に示すように、一対のアーム５０２Ｌ，５０２Ｕそれぞれにおいて、加熱プレート５０４Ｌ，５０４Ｕよりもそれを支持する本体支持部分５０６Ｌ，５０６Ｕの方が幅広に構成されているものが殆どである（例えば、特開２００３−１０２５３３号公報（特許文献１））。所望のカール量を得るためには、毛髪を適度に屈曲させてテンションをかけることが望ましい。また、仕上げや日常的なスタイリングと比較して、パーマ（パーマネントウェーブ）の場合は所望のカール量を得るためにはより大きな屈曲量が求められる。しかしながら、上述のようなヘアアイロン５００を用いてカーリングを行う場合、加熱プレート５０４を支持する本体部分５０６が邪魔をして、毛髪５１０を充分に屈曲させてテンションをかけることができず、良好に毛髪をカーリングすることが難しい場合があった。
【０００４】
あるいは、図１０（Ｂ）に示すような、半月型の加熱プレート５５２と、抑え板５５４とを有するヘアアイロン５５０も知られているが、加熱プレート５５２のエッジが鋭すぎると、髪を傷めてしまう可能性があった。
【０００５】
ヘアアイロンに関連して、種々の文献が知られている。例えば、特開２００９−１１２３７１号公報（特許文献２）は、美容用電気コテであって、上ヒータ部と下ヒータ部の断面における、上ヒータ部の上面と側部の角度θ１、θ２と下ヒータ部の上面と側部との角度θ３、θ４を鋭角（５０〜８９゜）に形成することを特徴とした美容用電気コテを開示する。しかしながら、特許文献２の従来技術では、ヒータ部の上面と側面とが５０〜８９゜になっているとはいえ、毛髪を充分に屈曲させてテンションをかけることができず、また、ヒータ部の縁が鋭角であるため毛髪を傷つけてしまう可能性がある点で、充分なものではなかった。
【０００６】
また、特開２０１４−２１７７４８号公報（文献３）は、開閉可能な一対のアームに頭髪を挟む発熱部材を設け、発熱部材を横断面「へ」の字形に形成し、発熱部材の外面全体を加熱面とし、加熱面は、アーム２の長手方向に延びるエッジの両側に第１加熱面と第２加熱面とを含む構成を開示する。しかしながら、特許文献３の従来技術では、発熱部材のエッジに毛髪を接触させることができるとはいうものの、発熱部材を支持するアームの本体部分が邪魔をすることに変わりはなく、また、複雑な機構を必要とする点で、充分なものではなかった。
【発明の概要】
【発明が解決しようとする課題】
【０００７】
本発明は、上記従来技術における不充分な点に鑑みてなされたものであり、本発明は、適切に毛髪を屈曲させてかつ充分なテンションをかけることが可能なヘアアイロン、および、ヘアアイロンを用いたヘアスタイリング方法を提供することを目的とする。
【課題を解決するための手段】
【０００８】
本発明者は、種々のヘアアイロンを用いて試行錯誤し、鋭意検討を加えた結果、略平板形状を有する加熱プレートを用いて、毛髪を加熱プレートの挟持面反対側に少なくとも部分的に回り込ませながら加熱プレートの縁部の表面で加熱しつつ屈曲されられるように構成することで、特にパーマで用いる場合であっても、良好なカールを得られることを見出し、本発明に至ったものである。
【０００９】
すなわち、本発明の実施形態によれば、下記特徴を有する、一対のアームを備えるヘアアイロンを提供する。本ヘアアイロンにおいて、一対のアームの少なくとも一方は、略平板形状を有する加熱プレートであって、他方のアームとともに毛髪を挟み込むための挟持面と、毛髪を屈曲させるための丸みを帯びた縁部とを有する加熱プレートを含む。本ヘアアイロンは、加熱プレートが、縁部で毛髪を屈曲させる際に、毛髪を縁部の表面で加熱しながら、毛髪を加熱プレートの挟持面反対側に少なくとも部分的に回り込ませて屈曲されられるよう構成されていることを特徴とする。
【００１０】
本発明の好ましい実施形態では、本ヘアアイロンは、その間を毛髪が通るように加熱プレートの挟持面反対側の面に櫛状に設けられた複数のフィンであって、それぞれ、加熱プレートの短手方向へ、加熱プレートの挟持面反対側の面および加熱プレートの縁部の表面に沿って延びる複数のフィンをさらに含むことができる。
【００１１】
本発明の他の好ましい実施形態では、上記一対のアームの少なくとも一方は、加熱プレートを挟持面反対側の面で支持するプレート支持部をさらに含み、加熱プレートの幅が、少なくとも一部でプレート支持部の幅よりも広くなっていることを特徴とする。
【００１２】
本発明のさらに他の好ましい実施形態では、本ヘアアイロンは、挟持面が構成する第１の仮想平面と、加熱プレートの縁部およびプレート支持部に接する第２の仮想平面とのなす角θが、１５度〜３５度の範囲であることを特徴とする。
【００１３】
本発明のさらに好ましい他の実施形態によれば、本ヘアアイロンは、加熱プレートは２〜６ｍｍの厚みを有し、加熱プレートの縁部が、それぞれの長手方向の辺で半径１〜３ｍｍの丸みを有することを特徴とする。
【００１４】
本発明の他の実施形態によれば、下記特徴を有する、一対のアームを備えるヘアアイロンを用いたヘアスタイリング方法を提供することができる。本ヘアスタイリング方法で用いる一対のアームの少なくとも一方は、略平板形状を有する加熱プレートを含む。本ヘアスタイリング方法は、加熱プレートが有する挟持面を用いて毛髪を挟持する工程と、加熱プレートが有する丸みを帯びた縁部で毛髪を屈曲させながら、縁部の表面で毛髪を加熱しつつ、ヘアアイロンを移動させて、毛髪にカールを形成する工程であって、毛髪が加熱プレートの挟持面反対側に少なくとも部分的に回り込ませられながら毛髪が屈曲される、当該工程とを含む。
【００１５】
本発明の好ましい実施形態では、前工程として、毛髪に薬剤を塗布する工程と、塗布された薬剤を洗浄する工程と、毛髪を乾燥する工程とを含む。
【図面の簡単な説明】
【００１６】
【図１】本発明の実施形態によるヘアアイロンの外観を示す投影図。
【図２】本発明の実施形態によるヘアアイロンの加熱プレート周りの形状を説明する図。
【図３】本発明の実施形態によるヘアアイロンの上下アームの加熱プレート周りのより詳細な構成を示す図。
【図４】本発明の実施形態によるヘアアイロンを用いたヘアスタイリング方法を説明する図。
【図５】本発明の他の実施形態によるヘアアイロンの外観を示す投影図。
【図６】本発明の他の実施形態によるヘアアイロンの加熱プレート周りの形状を説明する図。
【図７】本発明のさらに他の実施形態によるヘアアイロンの外観を示す投影図。
【図８】本発明の特定の実施形態によるヘアアイロンの加熱プレートの変形例を示す図。
【図９】本発明のさらに他の実施形態によるヘアアイロンの外観を示す投影図。
【図１０】従来技術のヘアアイロンおよびそれを用いたヘアスタイリング方法について説明する図。
【発明を実施するための形態】
【００１７】
以下、図面を参照しながら、本発明について実施形態をもって説明するが、本発明は、これらの図面に示される特定の実施形態に限定されるものではない。なお、添付の図面は、必ずしも縮尺比に従って縮小または拡大されたものではないことに留意されたい。
【００１８】
本発明の実施形態によるヘアアイロンは、一対のアームを備え、一対のアームの少なくとも一方において、他方のアームとともに毛髪を挟み込むための挟持面と、毛髪を屈曲させるための丸みを帯びた縁部とを有する加熱プレートが設けられ、加熱プレートの挟持面反対側に、毛髪を少なくとも部分的に回り込ませられるような空間が設けられていることを特徴としている。これにより、加熱プレートの縁部で毛髪を屈曲させる際に、毛髪を前記縁部の表面で加熱しながら、毛髪を加熱プレートの挟持面反対側に少なくとも部分的に回り込ませて屈曲されられるようになり、ひいては、ヘアアイロンを用いてスタイリングする際に、毛髪を充分に屈曲させてかつ充分なテンションをかけることが可能となるようにしている。
【００１９】
本発明の好ましい実施形態によるヘアアイロンは、さらに、その間を毛髪が通るように加熱プレートの挟持面反対側の面に櫛状に設けられた複数のフィンであって、それぞれ、加熱プレートの短手方向へ、加熱プレートの挟持面反対側の面および加熱プレートの縁部の表面に沿って延びる複数のフィンをさらに含むことを特徴とする。これにより、加熱プレートが、美容師の顧客や使用者の皮膚に触れてしまうことを好適に防止し、ヘアアイロンを用いたスタイリングの際の安全性および取り扱いの容易性の向上を図る。
【００２０】
以下、本発明の実施形態によるヘアアイロンについて、具体的な図面を参照しながら説明する。
【００２１】
まず、図１〜図４を参照しながら、本発明のヘアアイロンおよびヘアスタイリング方法について、特定の実施形態を以て説明する。
【００２２】
図１は、本発明の実施形態によるヘアアイロン１０の外観を示す投影図である。図１に示すヘアアイロン１０は、一対のアーム１２Ｕ，１２Ｌ（以下、数字の後に一方のアームに関してＵ、他方のアームについてＬを付す場合がある。）を備え、上アーム１２Ｕおよび下アーム１２Ｌによって、その間に毛髪を挟み込むように構成されている。アーム１２は、それぞれ、アーム本体１６，１８と、加熱プレート２０とを含み構成される。アーム本体は、加熱プレート２０を支持するプレート支持部１６と、使用者が手で把持するための把持部１８とを含み構成される。
【００２３】
上アーム１２Ｕおよび下アーム１２Ｌは、長手方向の一端に設けられたヒンジ４０により、一方が他方に対して接近および離間するようによって回動可能に連結される。使用者は、両アーム１２の把持部１８を把持して、上アーム１２Ｕおよび下アーム１２Ｌを閉じるようにして、加熱プレート２０間に毛髪を挟み込むことができる。
【００２４】
また、図１の示す実施形態では、一方のアーム（例えば１２Ｌ）には、ヘアアイロン１０の電源をオンまたはオフするためのスライドスイッチ３０が設けられている。電源コード３２を介して商用電源から給電を受けて、スライドスイッチ３０の状態に応じて加熱プレート２０の加熱が制御される。特に図示しないが、加熱プレート２０の温度を所望の値（例えば、用途に応じて、６０°〜２２０°など）に調節するための温度調整ボタンなどが設けられてもよい。また、図１には特に図示しないが、加熱プレート２０に接してヒータなどの発熱手段、スライドスイッチ３０などに応じてヒータへの電通を制御するコントローラ、および、電源状態や加熱状態を表示するインジケータなども設けられる。
【００２５】
ここで、図１と併せて図２を参照しながら、本発明の実施形態によるヘアアイロン１０について、より詳細に説明する。図２は、本発明の実施形態によるヘアアイロン１０の加熱プレート２０周りの形状を説明する図である。図２（Ａ）および（Ｂ）は、ヘアアイロン１０の上下アーム１２Ｕ，１２Ｌのプレート支持部１６Ｕ，１６Ｌの箇所で短手方向に切断した場合の断面図である。なお、図２（Ｂ）には、ヘアアイロン１０のアーム１２の形状を規定する各寸法パラメータ（ＷＰ，ＷＢ，Ｄ，Ｒ，θ）が示されている。図２（Ｃ）は、ヘアアイロン１０の上下アーム１２Ｕ，１２Ｌの先端側を側方から見た側面図（他方の側から見た場合も略同一である。）であり、図２（Ｄ）は、ヘアアイロン１０の下アーム１２Ｌの先端側の上面図（上アーム１２Ｕの下面図と略同一。）であり、図２（Ｅ）は、ヘアアイロン１０の上アーム１２Ｕの先端側の上面図（下アーム１２Ｌの下面図と略同一。）である。なお、図２（Ａ）および（Ｂ）の断面図は、図２（Ｃ）〜（Ｅ）中にＡで示す切断線に対応するものである。
【００２６】
加熱プレート２０には、上述したように、ヒータなどの発熱手段が設けられており、発熱手段で発生した熱が加熱プレート２０の表面に伝達するように構成されている。ここで、加熱プレート２０において、熱が伝達し、接触した毛髪を加熱する面を加熱面と呼ぶ。各アーム１２の加熱プレート２０は、平板形状を有しており、他方のアーム１２とともに毛髪を挟み込むための挟持面Ｐと、毛髪を屈曲させるための丸みを帯びた縁部Ｅとを有する。ここで、縁部Ｅは、加熱プレート２０の長手方向に延びた、挟持面Ｐからその反対側の裏面Ｑまでの側面をいう。図２（Ｄ）および（Ｅ）においては、挟持面Ｐおよび裏面Ｑと縁部Ｅとの境界が点線で示されている。なお、図では一方のみを代表的に符番Ｅを付して示しているが、図１および図２に示す実施形態では、加熱プレート２０の両端で縁部が丸みを帯びている。この挟持面Ｐおよび縁部Ｅは、ヒータから伝達した熱を、接触する毛髪に加えるための加熱面を構成する。
【００２７】
本発明の実施形態によるヘアアイロン１０は、図１および図２に示すように、各アーム１２において、加熱プレート２０の幅（ここで、短手方向の寸法を幅とする。）ＷＰが、アーム本体のプレート支持部１６の幅ＷＢよりも広く構成されていることを特徴としている。図１に示すように、アーム本体のプレート支持部１６は、加熱プレート２０を、挟持面Ｐの反対側で支持している。本実施形態では、加熱プレート２０がプレート支持部１６よりも幅広に構成されているため、加熱プレート２０は、台座となるプレート支持部１６を超えて側方に突出している突出部分を有する。そして、加熱プレート２０の挟持面Ｐの反対側には、プレート支持部１６の両側で、プレート支持部１６で支持されていない領域があり、何もない空間Ｓ（図では一方のみを代表的に符番Ｓを付して示している。）が存在する。そのため、一対のアーム１２の加熱プレート２０の挟持面Ｐで毛髪を挟み込みながら、一方の加熱プレート２０の縁部Ｅで毛髪を屈曲させる際に、加熱プレート２０の挟持面Ｐの反対側の空間Ｓに毛髪を少なくとも部分的に回り込ませて毛髪を屈曲させることが可能となる。
【００２８】
図１および図２に示す実施形態では、加熱プレート２０において、加熱面は、さらに挟持面Ｐの反対側の裏面Ｑにまで拡張されており、縁部Ｅで屈曲させられた毛髪に裏面Ｑからも熱を加えられるように構成されている。毛髪に対しより熱を加えやすくするという観点からは、裏面Ｑの全部または一部も加熱面を構成していることが好ましいが、しかしながら、毛髪を部分的に回り込ませられる空間Ｓが提供される限り、裏面Ｑは必ずしも加熱面を構成していなくともよい。
【００２９】
加熱プレート２０の材料は、特に限定されるものではないが、アルミニウムやチタン、チタン合金などの金属、セラミックス、ポリテトラフルオロエチレンなどの樹脂材料を含むことができ、好ましくは、可能な限り、毛髪に熱を均一に加えられるように熱伝導性が高く、かつ、毛髪を傷めないように低摩擦となるような材料で形成されている。加熱プレート２０の具体的な構成は特に限定されるものではなく、加熱プレート２０全体が、毛髪にやさしいチタンやセラミックスなどで構成されてもよいし、基材表面をチタンなどでコーティングした形態としてもよいし、基材にチタンなどの薄板を貼り付けた形態としてもよい。加熱プレート２０の挟持面Ｐの形態も、特に限定されるものではなく、全体が平たんな面であってもよいし、少なくとも部分的に凹凸が設けられてもよいし、蒸気を逃がすための溝などが形成されていてもよい。
【００３０】
アーム本体１６，１８の材料は、特に限定されるものではないが、ＡＢＳ樹脂、ＰＥＴ樹脂（ポリエチレンテレフタラート）、ポリアミドなどのエンジニアリングプラスチックなどを挙げることができる。また、アーム本体（例えばプレート支持部１６）の外表面にフェルトカバーなどが取り付けられていてもよい。なお、アーム本体は、加熱プレート２０の熱が他の物へ伝導するのを遮蔽する断熱材としての役割を果たす。そのため、いずれか一方のアーム本体を下にして、ヘアアイロン１０をテーブルなどの上に静置することができる。
【００３１】
図２（Ｂ）を参照しながら、ヘアアイロン１０のアーム１２の形状について、より具体的に説明する。
【００３２】
まず、本発明の実施形態によるヘアアイロン１０では、アーム１２の加熱プレート２０の幅が、加熱プレート２０を支持するアーム本体のプレート支持部１６の幅よりも広くなっている（ＷＰ＞ＷＢ）。特に限定されるものではないが、加熱プレート２０の幅ＷＰは、１５ｍｍ〜６０ｍｍの範囲内とすることができ、アーム本体のプレート支持部１６での幅ＷＢは、上記条件が満たされる範囲で、７ｍｍ〜３５ｍｍの範囲内とすることができる。
【００３３】
さらに、加熱プレート２０の縁部Ｅが丸みを帯びており、縁部Ｅの丸みＲは、所定の曲率半径の範囲であることが望ましい。縁部Ｅで毛髪を屈曲させる際に、好適に毛髪へのダメージを軽減するためには、縁部Ｅの角の丸みＲは、半径１ｍｍ〜５ｍｍ程度とすることができ、より好ましくは、半径１ｍｍ〜３ｍｍとすることができる。ここで、加熱プレート２０は、上下２面で面取り加工されており、長手方向の縁部Ｅは、所定の曲率半径を有する２辺から構成される。縁部Ｅは、２つの丸みを帯びた角の間に平たんな側面が残る形としてもよいが、角が無くなるように断面が半円を描く坊主面となっていることが好ましい。この場合、半円の直径は、加熱プレート２０の厚みＤと等しくなり、したがって、加熱プレート２０の厚みＤは、２ｍｍ〜１０ｍｍの範囲とすることができ、好ましくは、２ｍｍ〜６ｍｍの範囲とすることができる。
【００３４】
ここで、図２（Ｂ）に示すように、挟持面Ｐが構成する第１の仮想平面Ｐ’（挟持面Ｐを仮想的にその外へ拡張した平面）と、加熱プレート２０の縁部Ｅおよびアーム本体のプレート支持部１６（の外面に）に接する第２の仮想平面Ｏを定義する。縁部Ｅで毛髪を屈曲させる際に、好適に毛髪を部分的に回り込ませられるようにするために、好ましくは、第１の仮想平面Ｐ’と、第２の仮想平面とのなす角θは、１０度〜４９度の範囲内であることが好ましく、より好ましくは、１５度〜３５度の範囲内とすることができる。また、できるだけプレート支持部１６の厚みを確保しながら第１の仮想平面Ｐ’と第２の仮想平面とのなす角θを小さくできるように、アーム本体のプレート支持部１６は、図１および図２に示すように、加熱プレート２０反対側で傾斜面１４を有していることが好ましい。
【００３５】
図３は、本発明の実施形態によるヘアアイロン１０の上下アーム１２Ｕ，１２Ｌの加熱プレート２０Ｕ，２０Ｌ周りのより詳細な構成を示す図である。
【００３６】
図３（Ａ）は、各アーム１２の加熱プレート２０全体が、チタンやセラミックスなどで構成された特定の実施形態を例示する。図３（Ａ）に示す実施形態では、加熱プレート２０は、アーム本体部とは別体として設けられており、ヒータ３４が、加熱プレート２０の裏側のアーム本体のプレート支持部１６内に埋め込まれている。この特定の実施形態においては、加熱プレート２０の厚みＤは、加熱プレート２０全体を構成する材料の厚みとなり、加熱プレート２０の幅ＷＰは、加熱プレート２０全体を構成する材料の幅となる。それよりも幅広に構成される支持部の幅ＷＢは、加熱プレート２０の背部にある、アーム本体のプレート支持部１６の幅となる。
【００３７】
図３（Ｂ）は、基材にチタンなど薄板を貼り付けた特定の実施形態を例示する。図３（Ｂ）に示す実施形態では、加熱プレートは、アーム本体部の一部を基材として、加熱プレート２０’が構成されており、そのプレート基材部１９’に、上述した挟持面Ｐおよび縁部Ｅを形成するように金属などの薄板２１’が貼り付けられている。ヒータ３４’は、加熱プレート２０’を構成する薄板２１’の挟持面裏側に設けられており、例えばアーム本体のプレート基材部１９’内に埋め込まれている。この特定の実施形態では、加熱プレート２０’の厚みＤは、加熱プレート２０’を構成するアーム本体部のプレート基材部１９’および薄板２１’を合計した厚みであり、加熱プレート２０’の幅ＷＰは、プレート基材部１９’を薄板で覆って形成された加熱プレート２０’全体の幅である。一方、支持部の幅ＷＢは、アーム本体を構成する加熱プレート２０’を支持する部分であって、加熱プレート２０’を構成しているプレート基材部１９’を除いた部分をプレート支持部１６’とした幅（ヘアアイロン１０をテーブルなどに置いた場合にテーブル天板に接する側での幅）である。
【００３８】
また、図３（Ｂ）に示した実施形態では、薄板２１’は、挟持面Ｐの反対側の裏面Ｑを一部覆うようにプレート基材部１９’に貼り付けられているものとして説明したが、表から裏まで１８０度（境界ＥＱで示す部分まで。）縁部Ｅが覆われるように貼り付けられていれば足りる。
【００３９】
なお、アーム本体１６，１８および加熱プレート２０は、好ましくは、毛髪が挟まって傷めないように、なるべく隙間などが生じないような形状とされていることが好ましい。
【００４０】
以下、図４を参照しながら、本発明の実施形態によるヘアアイロンを用いたヘアスタイリング方法について説明する。図１に示すヘアアイロン１０は、ストレート型のヘアアイロンをベースとしたものである。本発明の特定の実施形態によるヘアスタイリング方法は、図１および図２を参照して説明したストレート型をベースとしたヘアアイロン１０を用いて、カールを形成する方法である。
【００４１】
本発明の実施形態によるヘアアイロン１０は、一時的なスタイリング（美容師による仕上げや、使用者が自身で日常的に行うスタイリング：水と熱による毛髪の水素結合およびイオン結合の切断および再結合による）、および、薬剤を用いた半永続的なスタイリング（パーマ：薬剤を用いて毛髪に化学反応を作用させることによる）の両方の用途に用いることができる。また、本発明の実施形態によるヘアアイロンを用いたスタイリング方法は、特に、薬剤を用いた半永続的なスタイリング（パーマ）において有用であるといえる。以下、本発明の実施形態によるヘアアイロンを用いたヘアスタイリング方法について、薬剤を用いる場合を一例に説明する。
【００４２】
本ヘアスタイリング方法では、まず、前処理として、毛髪に薬剤を塗布し、所定の時間が経過した後、洗髪し、薬剤を洗い流す。薬剤を充分にすすいだ後、ドライヤーなどを用いて毛髪を乾燥させる。ここで、用いる薬剤としては、チオグリコール酸アンモニウム、システイン、チオグリセリン、サルファイト、ラクトンチオールなどのパーマ剤やシステアミンなどのカーリング剤などの薬液を用いることができる。
【００４３】
髪を乾燥させた後、本発明の実施形態によるヘアアイロン１０を用いて、毛髪にカーリングをかける。この際に、ヘアアイロン１０の加熱プレート２０の設定温度は、１００°〜２２０°、より好ましくは、１２０°〜１８０°とすることができる。
【００４４】
そして、図４（Ａ）に示すように、一対のアーム１２の加熱プレート２０の挟持面Ｐで、頭部Ｔの毛髪（の束）Ｈの根本の方を挟持した後、図４（Ｂ）に２つの矢印（一点鎖線の矢印が、ヘアアイロン１０の全体的な移動経路を表しており、点線の矢印が、ヘアアイロン１０の中心軸周りの回転を表している。）で示すように、加熱プレート２０の縁部Ｅにて毛髪Ｈを屈曲させながら、アーム１２を回しつつ移動させて、加熱プレート２０の挟持面Ｐおよび縁部Ｅの表面で毛髪Ｈを加熱しながら滑らせて行く。この際には、加熱プレート２０の挟持面Ｐ反対側の、アーム本体のプレート支持部１６に隣接した空間Ｓに、毛髪Ｈを少なくとも部分的に回り込ませるようにしながら、毛髪Ｈが屈曲される。これにより、適度のテンションがかけられ、毛髪Ｈにきれいなカーブを有するカールを形成することができるようになる。
【００４５】
以下、図５および図６を参照しながら、本発明の他の実施形態によるヘアアイロンについて説明する。図１および図２を参照しながら説明した実施形態によるヘアアイロン１０では、加熱プレート２０の挟持面Ｐの裏側の空間Ｓは、そのまま空けられており、加熱プレート２０の縁部Ｅおよび裏面Ｑは露出されていた。しかしながら、必ずしも、加熱プレート２０の長手方向の全長にわたって、加熱プレート２０の幅ＷＰが、プレート支持部１６の幅ＷＢよりも幅広となっていることを要さない。図５および図６で説明する他の実施形態は、加熱プレートの縁部および裏面を部分的に覆うことで、そこに誤って皮膚などが接触してしまわないようにするとともに、髪を解かしやすくし、作業性、安全性および髪通りの向上を図ったものである。
【００４６】
図５は、本発明の他の実施形態によるヘアアイロン５０の外観を示す投影図である。図５に示すヘアアイロン５０は、図１および図２を参照して説明した実施形態と同様に、一対のアーム５２Ｕ，５２Ｌを備え、アーム５２は、それぞれ、アーム本体５６，５８と、平板形状を有する加熱プレート６０とを含み構成される。アーム本体は、加熱プレート６０を支持するプレート支持部５６と、把持部５８とを含み、さらに、プレート支持部５６の両側の側面には、側方へ延びる櫛状の複数のフィン５７が設けられている。上アーム５２Ｕおよび下アーム５２Ｌは、ヒンジ８０により一方が他方に対して接近および離間するようによって回動可能に連結される。また、電源コード７２を介して商用電源から給電を受けて、スライドスイッチ７０の状態に応じて加熱プレート６０の加熱が制御される。
【００４７】
ここで、図５と併せて図６を参照しながら、本発明の他の実施形態によるヘアアイロン５０について、より詳細に説明する。図６は、図２と同様に、本発明の他の実施形態によるヘアアイロン５０の加熱プレート６０周りの形状を説明する図である。図６（Ａ）および（Ｂ）は、ヘアアイロン５０の上下アーム５２Ｕ，５２Ｌのプレート支持部５６Ｕ，５６Ｌの異なる２箇所で短手方向に切断した場合の断面図である。図６（Ｃ）は、ヘアアイロン５０の上下アーム５２Ｕ，５２Ｌを側方から見た側面図であり、図６（Ｄ）は、ヘアアイロン５０の下アーム５２Ｌの上面図であり、図６（Ｅ）は、ヘアアイロン５０の上アーム５２Ｕの上面図である。なお、図６（Ａ）および（Ｂ）の断面図は、それぞれ、図６（Ｃ）〜（Ｅ）中にＢおよびＣで示す切断線に対応するものである。
【００４８】
上述した複数のフィン５７は、その間を毛髪が通るように、所定間隔で、プレート支持部５６に櫛状に設けられており、それぞれ、プレート支持部５６の少なくとも側面から短手方向へ、加熱プレート６０の挟持面Ｐ反対側の裏面Ｑおよび縁部Ｅに沿って延びている。図６（Ａ）は、フィン５７を通る箇所の切断面Ｂ−Ｂでの断面図であり、一方、図６（Ｂ）は、フィン５７が形成されていない箇所の切断面Ｃ−Ｃでの断面図である。フィン５７は、好ましくは、アーム５２の長手方向に略直角（短手方向）に延びるように設けられる。フィン５７は、その間を毛髪が通るように構成されており、髪のもつれを解き、髪通りを向上させる働きをする。フィン５７の厚みや間隔は、その目的に応じて適当なものが設定される。
【００４９】
本発明の他の実施形態によるヘアアイロン５０も、図１および図２のものと同様に、各アーム５２において、加熱プレート６０の幅ＷＰが、少なくとも部分的に、アーム本体のプレート支持部５６の幅ＷＢよりも広く構成されていることを特徴としている。図５に示すように、加熱プレート６０がプレート支持部５６よりも幅広に構成されているため、加熱プレート６０は、台座となるプレート支持部５６を超えて側方に突出している突出部分を有する。
【００５０】
ここで、図５および図６に示す実施形態において、加熱プレート６０の幅ＷＰより狭く構成される支持部の幅ＷＢは、図５（Ｂ）に示すように、複数のフィン５７以外の部分でのプレート支持部５６の幅である。
【００５１】
図５および図６で説明する他の実施形態では、加熱プレート２０の挟持面Ｐの裏側に、櫛状に複数のフィン５７が設けられている。そして、複数のフィン５７は、その間の区間（ここには空間Ｓが残されている）で毛髪が縁部Ｅおよび裏面Ｑを含む加熱面に接触することを可能としながら、加熱プレート６０の縁部Ｅおよび裏面Ｑに顔や頭などの皮膚などが接触してしまわないように加熱プレート６０を部分的に覆っている。このため、髪通りが向上するとともに、ヘアアイロン５０を用いる場合の安全性の向上並びに作業の容易性（安全性への特別の配慮の必要性が軽減される。）の向上を図ることができる。
【００５２】
なお、図５および図６に示す実施形態では、フィン５７は、プレート支持部５６の側方のみに延びるものとして説明したが、プレート支持部５６の上方（加熱プレート６０側の反対）にフィン５７が延びていてもよい。
【００５３】
以下、図７〜図９を参照しながら、本発明のさらに他の実施形態によるヘアアイロンについて説明する。図１〜図５を参照して説明した実施形態によるヘアアイロン１０，５０では、加熱プレート２０，６０を挟持面Ｐの反対側で支持するプレート支持部１６，５６が長手方向の全長にわたって設けられていた。しかしながら、加熱プレート２０，６０の挟持面Ｐの裏側に空間Ｓが確保される限り、必ずしも、加熱プレート２０，６０の長手方向の全長にわたってプレート支持部が設けられていることを要さない。図７〜図９を参照して説明する他の実施形態は、プレート支持部を最小限としてより広い空間が確保することを図ったものである。
【００５４】
図７は、本発明のさらに他の実施形態によるヘアアイロン１００の外観を示す投影図である。図７に示すヘアアイロン１００は、図１および図２を参照して説明した実施形態と同様に、一対のアーム１１２Ｕ，１１２Ｌを備え、アーム１１２は、それぞれ、アーム本体１１６，１１８と、平板形状を有する加熱プレート１２０とを含み構成される。図７に示す実施形態では、同様に、アーム本体は、加熱プレート１２０を支持するプレート支持部１１６と、把持部１１８とを含む。
【００５５】
しかしながら、図７に示すプレート支持部１１６は、加熱プレート１２０の長手方向の一部のみに設けられており、プレート支持部１１６が設けられていない領域では、図１および図２を参照して説明した実施形態と比べて広い空間Ｓが存在する。そのため、加熱プレート１２０の縁部Ｅで毛髪を屈曲させる際に、加熱プレート１２０の挟持面Ｐの反対側の広い空間Ｓに毛髪を充分に回り込ませて毛髪を屈曲させることが可能となっている。そのほかの構成（ヒンジ１４０，スライドスイッチ１３０，電源コード１３２）については、図１および図２を参照して説明した実施形態と同様である。
【００５６】
以下、図８を参照しながら、略平板形状を有する加熱プレートの形状の変形例について説明する。図８（Ａ）は、挟持面Ｐおよびその反対側の裏面Ｑの両方が平面を構成している、平板形状を有した加熱プレート１２０を備える実施形態を示す。図８（Ａ）は、図７に対応するものである。
【００５７】
これに対して、図８（Ｂ）は、挟持面Ｐ側は平面であるが、その反対側の裏面Ｑが、曲率半径の大きな曲面となっている加熱プレート１２０’を含む実施形態を示す。図８（Ｂ）に示した加熱プレート１２０’において、裏面Ｑは、その曲率半径が充分に大きい場合には、略平面とみなすことができ、同様に、略平板形状といえるものである。ここで、略平板形状とは、一方の挟持面Ｐが平面（凹凸や溝が一部設けられている場合も含む。）であり、反対側の裏面Ｑが平面または略平面である板状の形状をいう。ここで、加熱プレート１２０’の幅以上の曲率半径を有する部分を略平面とする。
【００５８】
図８（Ａ）および図８（Ｂ）に示す構成例では、縁部Ｅの角の丸みＲは、単一の曲率半径Ｒを有するものとして描かれている。これに対して、図８（Ｃ）は、角の丸みが２つの曲率半径Ｒ１，Ｒ２（裏面側の曲率半径Ｒ２＞挟持面側の曲率半径Ｒ１）で定義された縁部Ｅ１，Ｅ２を有する加熱プレート１２０’’を含む実施形態である。図８（Ｃ）に示すように、加熱プレート１２０’’の縁部の角の丸みは、単一の曲率半径を有する単調な曲面として定義されていることは必ずしも要せず、複数の曲率半径（２より大きな数の曲率半径を有する場合および連続的に曲率半径が変化する場合を含む。）を有するより複雑な曲面として定義されてもよい。
【００５９】
図９は、本発明のさらに他の実施形態によるヘアアイロン１５０の外観を示す投影図である。図９に示すヘアアイロン１５０は、図５および図６を参照して説明した実施形態と同様に、一対のアーム１５２Ｕ，１５２Ｌを備え、アーム１５２は、それぞれ、アーム本体１５６，１５８と、平板形状を有する加熱プレート１６０とを含み構成される。図９に示す実施形態では、アーム本体は、フィン支持部１５６と、把持部１５８と、櫛状の複数のフィン１５７とを含む。フィン支持部１５６は、櫛状の複数のフィン１５７を支持するものであり、加熱プレート１６０の短手方向中央に加熱プレート１６０の長手方向にわたり設けられているが、加熱プレート１６０に設けられた溝の中に埋め込まれており、挟持面Ｐの反対側の裏面Ｑと面一となっている。上述した複数のフィン１５７は、加熱プレート１６０に埋設されたフィン支持部１５６の上方に設けられており、加熱プレート６０の挟持面Ｐ反対側の裏面Ｑおよび縁部Ｅに沿って延びている。そのほかの構成（ヒンジ１８０，スライドスイッチ１７０，電源コード１７２）については、図１〜図６を参照して説明した実施形態と同様である。
【００６０】
これまで、本発明の実施形態によるヘアアイロンおよびそのヘアアイロンを用いたヘアスタイリング方法について説明してきた。上述した本発明の実施形態によれば、適切に毛髪を屈曲させてかつ充分なテンションをかけることが可能なヘアアイロン、および、ヘアアイロンを用いたヘアスタイリング方法を提供することが可能となる。
【００６１】
特に、仕上げや日常的なスタイリングと比較して、パーマの場合、所望のカール量を得るためには、より大きな屈曲量が求められるところ、本発明の実施形態によるヘアアイロンおよびヘアスタイリング方法によれば、加熱プレートの縁部で毛髪を屈曲させる際に、毛髪を加熱プレートの挟持面反対側に少なくとも部分的に回り込ませて屈曲されられるようになっており、パーマの場合でも、毛髪を充分に屈曲させてかつ充分なテンションをかけることが可能である。ひいては、美しいカーブを有するカールを毛髪にかけることが可能となり、再現性も高い。
【００６２】
なお、上述までの実施形態では、一対のアームの両方が同じ形状を有するものとして説明した。その方が、使用者の作業の効率が向上するが、必ずしも両方のアームで加熱プレートの挟持面反対側に空間を設けた構成することは要さず、少なくとも一方のアームにおいて、加熱プレートの挟持面反対側に空間があれば足りる点に留意されたい。また、上述までの実施形態では、各アームにおいて、左右対称の形状を有するものとして説明した。その方が、右利きおよび左利きの両方に対応できる点で好ましいが、必ずしも左右対称の形状とする必要はない。さらに、一対のアーム１２Ｌ，１２Ｕに加えて、他の部材を含み得る点にも留意されたい。
【産業上の利用可能性】
【００６３】
上述したように本発明の実施形態によるヘアアイロンは、家庭用または業務用のものとして実施することができ、本発明の実施形態によるヘアスタイリング方法は、美容業において実施することができる。
【００６４】
これまで本発明を、特定の実施形態をもって説明してきたが、本発明は、上述までの実施形態に限定されるものではなく、他の実施形態、追加、変更、削除など、当業者が想到することができる範囲内で変更することができ、いずれの態様においても本発明の作用・効果を奏する限り、本発明の範囲に含まれるものである。
【符号の説明】
【００６５】
１０，５０、１００，１５０…ヘアアイロン、１２，５２，１１２，１５２…アーム、１４，５４…アーム本体の傾斜部、１６，５６，１１６…アーム本体のプレート支持部、１８，５８，１１８，１５８…アーム本体の把持部、１９…アーム本体のプレート基材部、２０，６０，１２０，１６０…加熱プレート、２１…薄板、３０，７０，１３０，１７０…スライドスイッチ、３２，７２，１３２，１７２…電源コード、３４，１３４…ヒータ、５７，１５７…アーム本体のフィン、１５６…フィン支持部
【先行技術文献】
【特許文献】
【００６６】
【特許文献１】特開２００３−１０２５３３号公報
【特許文献２】特開２００９−１１２３７１号公報
【特許文献３】特開２０１４−２１７７４８号公報
【図１】
2020092916.tif 000003
【図２】
2020092916.tif 000004
【図３】
2020092916.tif 000005
【図４】
2020092916.tif 000006
【図５】
2020092916.tif 000007
【図６】
2020092916.tif 000008
【図７】
2020092916.tif 000009
【図８】
2020092916.tif 000010
【図９】
2020092916.tif 000011
【図１０】
2020092916.tif 000012